(57)【要約】【課題】  葉ダニや油虫などの小さな害虫を楽に発見でき、その場で殺虫薬剤を吹き付けて駆除できる、殺虫スプレー缶７の噴出部８に取り付ける虫眼鏡１を提供する。【解決手段】（イ）円柱形状の筒３は上底と下底が欠落している。（ロ）円柱形状の筒３は側壁４の一部に上底から下底までの欠落部５が２ヶ所ある。（ハ）側壁４の欠落部５の形状は正面から見て長方形である。（ニ）側壁４の欠落部５の幅は、人の人差指が楽に入る大きさである。（ホ）側壁４の２箇所の欠落部５は、円柱形状の筒３の中心を軸とした線対称位置にある。（ヘ）円柱形状の筒３の上部開口部に虫眼鏡１を設ける。（ト）虫眼鏡１の凸レンズ２と側壁４の欠落部５は平行な位置にある。【選択図】図５
0003123296.tif 000002
【実用新案登録請求の範囲】
【請求項１】
（イ）円柱形状の筒３は上底と下底が欠落している。（ロ）円柱形状の筒３は側壁４の一部に上底から下底までの欠落部５が２ヶ所ある。（ハ）側壁４の欠落部５の形状は正面から見て長方形である。（ニ）側壁４の欠落部５の幅は、人の人差指が楽に入る大きさである。（ホ）側壁４の２箇所の欠落部５は、円柱形状の筒３の中心を軸とした線対称位置にある。（ヘ）円柱形状の筒３の上部開口部に虫眼鏡１を設ける。（ト）虫眼鏡１の凸レンズ２と側壁４の欠落部５は平行な位置にある。  以上の構成より成る殺虫スプレー缶７の噴出部８に取り付ける虫眼鏡１。
【請求項２】
側壁４の一部に挟み部６を設けた、請求項１の殺虫スプレー缶７の噴出部８に取り付ける虫眼鏡１。
【請求項３】
請求項１あるいは請求項２の殺虫スプレー缶７の噴出部８に取り付ける虫眼鏡１を取り付けた殺虫スプレー缶７。
【考案の詳細な説明】
【技術分野】
【０００１】  この考案は、一般家庭の園芸用に使用する殺虫スプレー缶の噴出部に取り付ける虫眼鏡に関するものである。
【背景技術】
【０００２】  従来、園芸用植物の害虫駆除のために、原動機を利用した薬剤散布機や肩掛け式の噴霧器を使用しているが、害虫発見のための虫眼鏡は設けられていない。
【考案の開示】
【考案が解決しようとする課題】
【０００３】  これら原動機を利用した薬剤散布機や肩掛け式の噴霧器は、一般家庭では収納や持ち運びに不便をきたすため使用されることが少なかった。このため、害虫被害が広範囲にわたってから、専門業者に害虫駆除を依頼することが多かった。  本考案は、この欠点を解決するためになされたものである。
【課題を解決するための手段】
【０００４】  まず、請求項１について説明する。  図１で示すように、次の構成からなっている。（イ）円柱形状の筒３は上底と下底が欠落している。（ロ）円柱形状の筒３は側壁４の一部に上底から下底までの欠落部５が２ヶ所ある。（ハ）側壁４の欠落部５の形状は正面から見て長方形である。（ニ）側壁４の欠落部５の幅は、人の人差指が楽に入る大きさである。（ホ）側壁４の２箇所の欠落部５は、円柱形状の筒３の中心を軸とした線対称位置にある。（ヘ）円柱形状の筒３の上部開口部に虫眼鏡１を設ける。（ト）虫眼鏡１の凸レンズ２と側壁４の欠落部５は平行な位置にある。【０００５】  次に請求項２について説明する。  図４で示すように、次の構成からなっている。  側壁４の一部に挟み部６を設けた、請求項１の殺虫スプレー缶７の噴出部８に取り付ける虫眼鏡１。【０００６】  次に請求項３について説明する。  図４、図５で示すように、次の構成からなっている。  請求項１あるいは請求項２の殺虫スプレー缶７の噴出部８に取り付ける虫眼鏡１を取り付けた殺虫スプレー缶７。
【考案の効果】
【０００７】  本考案により次の効果を生む。  まず、請求項１について説明する。  既存の殺虫スプレー缶７の噴出部８に虫眼鏡１を取り付けられるので、葉ダニや油虫などの小さな害虫を楽に発見でき、その場で殺虫薬剤を吹き付けて駆除できる。【０００８】  次に請求項２について説明する。  側壁４の一部に挟み部６が設けられているので、虫眼鏡１を取り付けた殺虫スプレー缶７を衣服などに手軽にとめられる。【０００９】  次に請求項３について説明する。  殺虫スプレー缶７がより小型であれば、本考案の効果は十分に発揮できる。  それは、既存の殺虫スプレー缶７は常時携帯するには大き過ぎるため、持ち運びに不便である。つまり、一般家庭で園芸品を管理する場合、害虫駆除だけに専念するわけではない。水、肥料を施し、枝の選定などを行なっていて、葉ダニや油虫などの害虫に気付く場合が多い。このとき、殺虫スプレー缶７がより小型であれば、衣服などに手軽にとめた本考案を素早く取り出すことができる。そして、虫眼鏡１で葉ダニや油虫などの害虫の様子を確かめ、殺虫薬剤を吹き付けて駆除できるからである。
【考案を実施するための最良の形態】
【００１０】  以下、本考案を実施するための最良の形態を説明する。  まず、請求項１について説明する。  図１で示すように、次の構成からなっている。（イ）円柱形状の筒３は上底と下底が欠落している。（ロ）円柱形状の筒３は側壁４の一部に上底から下底までの欠落部５が２ヶ所ある。（ハ）側壁４の欠落部５の形状は正面から見て長方形である。（ニ）側壁４の欠落部５の幅は、人の人差指が楽に入る大きさである。（ホ）側壁４の２箇所の欠落部５は、円柱形状の筒３の中心を軸とした線対称位置にある。（ヘ）円柱形状の筒３の上部開口部に虫眼鏡１を設ける。（ト）虫眼鏡１の凸レンズ２と側壁４の欠落部５は平行な位置にある。【００１１】  まず、（イ）の「円柱形状の筒３は上底と下底が欠落している。」を説明する。  下底の欠落は、本考案を殺虫スプレー缶７の噴出部８に取り付けるために必要である。【００１２】  次に、（ロ）の「円柱形状の筒３は側壁４の一部に上底から下底までの欠落部５が２ヶ所ある。」と（ハ）の「側壁４の欠落部５の形状は正面から見て長方形である。」と（ニ）の「側壁４の欠落部５の幅は、人の人差指が楽に入る大きさである。」について説明する。  側壁４の一部に設ける上底から下底までの欠落部５の一方は、人差指を入れて噴出部８の頭を押すために必要であり、もう一方は薬剤が噴出するための空間として必要な部分である。  欠落部５の形状は基本的に長方形であるが、人の人差指が楽に入る大きさと形状であればよい。【００１３】  次に、（ホ）の「側壁４の２箇所の欠落部５は、円柱形状の筒３の中心を軸とした線対称位置にある。」と（ヘ）の「円柱形状の筒３の上部開口部に虫眼鏡１を設ける。」と（ト）の「虫眼鏡１の凸レンズ２と側壁４の欠落部５は平行な位置にある。」を説明する。  虫眼鏡１の凸レンズ２を見て害虫に薬剤を吹き付けし易いように、側壁４の２箇所の欠落部５は、円柱形状の筒３の中心を軸とした線対称位置にあって、虫眼鏡１の凸レンズ２と側壁４の欠落部５は平行な位置にあることが理想的である。【００１４】  本考案の材質は、薬剤による腐食に強く、軽量なプラスチック等が理想的であり、虫眼鏡１、凸レンズ２、円柱形状の筒３は、一体化して製造してもよい。  また、円柱形状の筒３の内側には雌ネジを設け、噴出部ガード９の外壁には雄ネジを設け、ねじ込み式にしてもよい。円柱形状の筒３の材質を弾力あるものにして、その戻る力を利用し、円柱形状の筒３で噴出部ガード９を挟み込むようにしてもよい。【００１５】  次に請求項２について説明する。  図４で示すように、次の構成からなっている。  側壁４の一部に挟み部６を設けた、請求項１の殺虫スプレー缶７の噴出部８に取り付ける虫眼鏡１。  挟み部６は、衣服のポケットやバンドに引っ掛けるために必要なものである。殺虫スプレー缶７を衣服のポケットやバンドに引っ掛けておけば、両手は空いているので他の作業に専念できる。【００１６】  本考案の挟み部６の材質は、弾力があり薬剤による腐食に強く、軽量なプラスチック等が理想的であり、挟み部６、虫眼鏡１、凸レンズ２、円柱形状の筒３は、一体化して製造してもよい。【００１７】  次に請求項３について説明する。  図４、図５で示すように、次の構成からなっている。  請求項１あるいは請求項２の殺虫スプレー缶７の噴出部８に取り付ける虫眼鏡１を取り付けた殺虫スプレー缶７。  繰り返し述べるが、一般家庭で園芸品を管理する場合、害虫駆除だけに専念するわけではない。水、肥料を施し、枝の選定などを行なっていて、葉ダニや油虫などの害虫に気付く場合が多い。このとき、殺虫スプレー缶７がより小型であれば、衣服などに手軽にとめた本考案を素早く取り出すことができる。そして、虫眼鏡１で葉ダニや油虫などの害虫の様子を確かめ、殺虫薬剤を吹き付けて駆除できるからである。
【使用例】
【００１８】  請求項１の本考案を使用するときは、円柱形状の筒３を噴出部ガード９に本考案を挿し込む。このとき噴出口が欠落部５の中央に位置するようにする。
【図面の簡単な説明】
【００２１】
【図１】は、請求項１の正面図である。
【図２】は、請求項１の側面図である。
【図３】は、請求項１の平面図である。
【図４】は、請求項２の正面図である。
【図５】は、請求項３の正面図である。
【符号の説明】
【００３１】１虫眼鏡    ２凸レンズ    ３円柱形状の筒３    ４側壁    ５欠落部６挟み部    ７殺虫スプレー缶    ８噴出部    ９噴出部ガード
【図１】
0003123296.tif 000003
【図２】
0003123296.tif 000004
【図３】
0003123296.tif 000005
【図４】
0003123296.tif 000006
【図５】
0003123296.tif 000007